(57)【要約】【課題】空気吸い込み口から吸い込んだ空気が前面の空気吹き出し口から吐出される床置き式空気調和機において、前面パネルの前面に略矩形状の空気吹き出し口を形成して、この空気吹き出し口には、空気の吹き出し方向を上下及び左右に変更できる機構を備えるようにして、空気調和機の設置された状況や、空気調和機の使用状態に合わせて、適宜の吹き出し態様を形成できるようにするものである。【解決手段】空気吹き出し口に後部に複数枚の縦フラップが並列配置され、前部に複数枚の横フラップが配置され、横フラップは上下２組構成であり、上の組の横フラップは第１電動モータにて上下方向に向きが変更され、下の組の横フラップは第２電動モータにて上下方向に向きが変更され、リモートコントローラのスイッチ手段にて、第１電動モータと第２電動モータ単独制御と連動制御すること。【選択図】図１０
2008175458.tif 000002
【特許請求の範囲】
【請求項１】
空気調和機本体の前面開口部に配置した前面パネルは、空気吸い込み口を形成した下部前面パネルと略矩形状の空気吹き出し口を前面に形成した上部前面パネルとを備え、前記空気吸い込み口から前記空気吹き出し口へ連通するよう前記空気調和機本体内に形成した空気通路には、前記下部前面パネルの後方に空気の入口を前面に備え空気の出口を上面に備えた送風装置が配置され、前記上部前面パネルの後方に下部に対して上部が後方へ傾く傾斜状態に熱交換器が前記空気調和機本体内に横幅広く配置され、前記空気吹き出し口には、後部に複数枚の縦フラップが横に間隔を存して並列配置され、その前部に複数枚の横フラップが縦に並列配置され、前記横フラップは上下に２分割された２組構成であり、上の組の複数の横フラップは第１電動モータによって上下方向に向きが変更される仕組みであり、下の組の複数の横フラップは第２電動モータによって上下方向に向きが変更される仕組みであり、前記空気調和機に対応するリモートコントローラには、前記第１電動モータと前記第２電動モータをそれぞれ単独制御状態と、連動制御状態に制御する横フラップ用スイッチ手段を設けたことを特徴とする床置き式空気調和機。
【請求項２】
前記横フラップ用スイッチ手段によって、前記第１電動モータが前記上の組の複数の横フラップを、下向き状態、水平状態、上向き状態の態様に所定の順序によってステップ制御する手段と、前記第２電動モータが前記下の組の複数の横フラップを、下向き状態、水平状態、上向き状態の態様に所定の順序によってステップ制御する手段を備えたことを特徴とする請求項１に記載の床置き式空気調和機。
【請求項３】
前記空気調和機に対応するリモートコントローラには、前記第１電動モータによって前記上の組の複数の横フラップが、下向き状態、水平状態、上向き状態の態様が所定の順序によって連続的に変化するように制御するスイッチ手段と、前記第２電動モータによって前記下の組の複数の横フラップが、下向き状態、水平状態、上向き状態の態様が所定の順序によって連続的に変化するように制御するスイッチ手段を設けたことを特徴とする請求項１に記載の床置き式空気調和機。
【請求項４】
前記空気調和機に対応するリモートコントローラには、前記第１電動モータによって前記上の組の複数の横フラップが風向を連続的に変化する態様と、この態様とは逆の態様で前記第２電動モータによって前記下の組の複数の横フラップが風向を連続的に変化するように制御するスイッチ手段を設けたことを特徴とする請求項１に記載の床置き式空気調和機。
【請求項５】
前記リモートコントローラに、前記縦フラップを左右方向に作動する第３電動モータを制御する縦フラップ用スイッチ手段を設け、前記横フラップ用スイッチ手段と前記縦フラップ用スイッチ手段によって、上下方向の風向制御と左右方向の風向制御が、単独で、または組み合わせによって行なわれることを特徴とする請求項１乃至４のいずれかに記載の床置き式空気調和機。
【発明の詳細な説明】
【技術分野】
【０００１】
本発明は、空気吸い込み口から吸い込んだ空気が空気吹き出し口へ流れる空気通路に、熱交換器と、前記空気吸い込み口から吸い込んだ空気を前記熱交換器へ送出する送風機が配置された床置き式空気調和機に関する。
【背景技術】
【０００２】
床置き式空気調和機の本体の前面パネルの下部に設けられた吸込グリル、この吸込グリルに空気吸込口を臨ませて本体内に設けたケーシング、このケーシング内に設けたシロッコファン（ケーシングとシロッコファンとファンモータで送風機を構成）、送風機の吹出口の上方に下部に対して上部が後方へ傾くように傾斜設置した熱交換器、熱交換器で冷媒と熱交換した空気を室内に向けて送出するために本体の前面上部に設けられた吹出口、及び熱交換器から流下する結露水を受けるように熱交換器の下端部の真下でケーシングの前面上部と前面パネルとの間に設けたドレンパンを備えた床置き式空気調和機がある。（例えば、特許文献１参照）。
【特許文献１】特開平８−２００７２５号公報
【発明の開示】
【発明が解決しようとする課題】
【０００３】
特許文献１のものでは、吸込グリルの裏側に３０〜５０ｍｍの厚さの波形状に曲げたロングライフフィルタを取り付け使用できるように、スペースを確保するために考案されたものであるが、熱交換器で冷媒と熱交換した空気を室内に向けて送出する吹出口が、本体の前面上部に設けられた構成である。この吹出口から吹き出す空気の方向を変更する機構については記載がない。
【０００４】
本発明は、前面パネルの前面に略矩形状の空気吹き出し口を形成して、この空気吹き出し口には、空気の吹き出し方向を上下及び左右に変更できる機構を備えるようにして、空気調和機の設置された状況や、空気調和機の使用状態に合わせて、適宜の吹き出し状態を形成できるようにするものである。
【課題を解決するための手段】
【０００５】
第１の発明の床置き式空気調和機は、空気調和機本体の前面開口部に配置した前面パネルは、空気吸い込み口を形成した下部前面パネルと略矩形状の空気吹き出し口を前面に形成した上部前面パネルとを備え、前記空気吸い込み口から前記空気吹き出し口へ連通するよう前記空気調和機本体内に形成した空気通路には、前記下部前面パネルの後方に空気の入口を前面に備え空気の出口を上面に備えた送風装置が配置され、前記上部前面パネルの後方に下部に対して上部が後方へ傾く傾斜状態に熱交換器が前記空気調和機本体内に横幅広く配置され、前記空気吹き出し口には、後部に複数枚の縦フラップが横に間隔を存して並列配置され、その前部に複数枚の横フラップが縦に並列配置され、前記横フラップは上下に２分割された２組構成であり、上の組の複数の横フラップは第１電動モータによって上下方向に向きが変更される仕組みであり、下の組の複数の横フラップは第２電動モータによって上下方向に向きが変更される仕組みであり、前記空気調和機に対応するリモートコントローラには、前記第１電動モータと前記第２電動モータをそれぞれ単独制御状態と連動制御状態に制御する横フラップ用スイッチ手段を設けたことを特徴とする。
【０００６】
第２の発明の床置き式空気調和機は、第１発明において、前記横フラップ用スイッチ手段（単独制御スイッチ手段Ｃ、Ｄ、連動制御スイッチ手段Ｅ）によって、前記第１電動モータが上の組の複数の横フラップを、下向き状態、水平状態、上向き状態の態様に所定の順序によってステップ制御する手段と、前記第２電動モータが下の組の複数の横フラップを、下向き状態、水平状態、上向き状態の態様に所定の順序によってステップ制御する手段を備えたことを特徴とする。
【０００７】
第３の発明の床置き式空気調和機は、第１発明において、前記空気調和機に対応するリモートコントローラには、前記第１電動モータによって前記上の組の複数の横フラップが、下向き状態、水平状態、上向き状態の態様が所定の順序によって連続的に変化するように制御するスイッチ手段Ｆと、前記第２電動モータによって前記下の組の複数の横フラップが、下向き状態、水平状態、上向き状態の態様が所定の順序によって連続的に変化するように制御するスイッチ手段Ｇを設けたことを特徴とする。
【０００８】
第４の発明の床置き式空気調和機は、第１発明において、前記空気調和機に対応するリモートコントローラには、前記第１電動モータによって前記上の組の複数の横フラップが風向を連続的に変化する態様と、この態様とは逆の態様で前記第２電動モータによって前記下の組の複数の横フラップが風向を連続的に変化するように制御するスイッチ手段Ｉを設けたことを特徴とする。
【０００９】
第５の発明の床置き式空気調和機は、第１発明乃至第４の発明のいずれかにおいて、前記リモートコントローラに、前記縦フラップを左右方向に作動する第３電動モータを制御する縦フラップ用スイッチ手段を設け、前記横フラップ用スイッチ手段と前記縦フラップ用スイッチ手段によって、上下方向の風向制御と左右方向の風向制御が、単独で、または組み合わせによって行なわれることを特徴とする。
【発明の効果】
【００１０】
第１の発明は、前面パネルを上部前面パネルと下部前面パネルとし、下部前面パネルに空気吸い込み口を形成し、上部前面パネルの前面に空気吹き出し口を形成した構成とし、下部前面パネルの後方に送風装置が配置され、上部前面パネルの後方に熱交換器が配置された構成において、空気吹き出し口には、縦フラップの前部に上下２組の横フラップが配置され、上の組の横フラップを駆動する第１電動モータと、下の組の横フラップを駆動する第２電動モータが、リモートコントローラに設けたスイッチ手段によって、単独制御状態と、連動制御状態に制御される。このため、上の組の横フラップの方向選択と、下の組の横フラップの方向選択とを組み合わせることによって、種々の風向を作り出すことができ、室内に居る人の好みに応じた空気吹き出し方向を作り出すことができる空気調和を行うことができる。
【００１１】
第２の発明では、第１の発明の効果に加えて、第１電動モータと第２電動モータは、それぞれ単独制御スイッチ手段Ｃ、Ｄによって単独制御されるため、空気吹き出し口を上領域と下領域で異なる向きの空気吹き出しが行なえ、また、連動制御スイッチ手段Ｅによって、上領域と下領域で同じ向きの空気吹き出しが行なえる。このため、上の組の横フラップと下の組の横フラップが共に水平状態の場合は、吹き出し空気が前方へ吹き出される標準モードを形成でき、また、上の組の横フラップと下の組の横フラップが共に上方状態の場合は、吹き出し空気が斜め上前方へ吹き出される上方モードであり、室内の天井部分の空気の流動を促進して、室内全体の空気調和ができ、室内の座敷や床や椅子に座っている人に直接、冷房時の冷風や暖房時の温風が当たらない柔和な空気調和ができる。また、上の組の横フラップと下の組の横フラップが共に下方状態の場合は、吹き出し空気が斜め下方へ吹き出される下方モードであり、湯上り時の体を心地よく冷やす場合や、室内の座敷や床や椅子に座っている人に集中して暖房の温風を当てるのに適する。
【００１２】
更に、上の組の横フラップが水平状態であって、下の組の横フラップが上向き状態の場合は、吹き出し空気が水平状態とその上方領域へ吹き出される広域上方モードとなり、また下の組の横フラップが水平状態であって、上の組の横フラップが下向き状態の場合は、吹き出し空気が水平状態とその下方領域へ吹き出される広域下方モードとなる。このように、種々の吹き出し方向のモードを作ることもでき、室内に居る人の好みに応じた空気吹き出し方向を作り出すことができる空気調和を行うことができる。
【００１３】
第３の発明では、第１発明の効果に加えて、第１電動モータによって上の組の複数の横フラップが、下向き状態、水平状態、上向き状態の態様が所定の順序によって連続的に変化し、第２電動モータによって下の組の複数の横フラップが、下向き状態、水平状態、上向き状態の態様が所定の順序によって連続的に変化するため、上の組の横フラップの方向選択と、下の組の横フラップの方向選択とを組み合わせることによって、連続的に変化する種々の風向を作り出すことができ、室内に居る人の好みに応じた空気吹き出し方向を作り出すことができる空気調和を行うことができる。
【００１４】
第４の発明では、第１発明の効果に加えて、このスイッチ手段Ｉによって、制御部に設定したモードによって、一方の電動モータが正方向回転するとき他方の電動モータが逆方向回転する関係によって、上の組の横フラップと下の組の横フラップが、互いに逆方向に連続作動する。これによって、上の組の横フラップが水平状態から上方へ（または水平状態から下方へ）移動し、下の組の横フラップが水平状態から下方へ（または水平状態から上方へ）移動することによって、吹き出し空気の範囲が広がりを持つようになり、室内の空気循環をワイド状態とする。また、上の組の横フラップが水平状態から下方（または上方）へ移動し、下の組の横フラップが水平状態から上方（または下方）へ移動するとき、吹き出し空気の乱流状態を形成するため、室内の空気を上下に攪拌して室内温度斑を少なくできる状態となる。
【００１５】
第５の発明では、横フラップ用風向スイッチ手段と縦フラップ用風向スイッチ手段とによって、これらのスイッチ手段の操作によって、上下方向の風向制御と左右方向の風向制御を、単独で、または組み合わせによって達成できる。このため、第１発明乃至第４の発明の効果に加えて、更に左右方向の風向制御を加えた風向が形成できる効果がある。
【発明を実施するための最良の形態】
【００１６】
本発明の床置き式空気調和機は、空気調和機本体の前面開口部に配置した前面パネルは、空気吸い込み口を形成した下部前面パネルと略矩形状の空気吹き出し口を前面に形成した上部前面パネルとを備え、前記空気吸い込み口から前記空気吹き出し口へ連通するよう前記空気調和機本体内に形成した空気通路には、前記下部前面パネルの後方に空気の入口を前面に備え空気の出口を上面に備えた送風装置が配置され、前記上部前面パネルの後方に下部に対して上部が後方へ傾く傾斜状態に熱交換器が前記空気調和機本体内に横幅広く配置され、前記空気吹き出し口には、後部に複数枚の縦フラップが横に間隔を存して並列配置され、その前部に複数枚の横フラップが縦に並列配置され、前記横フラップは上下に２分割された２組構成であり、上の組の複数の横フラップは第１電動モータによって上下方向に向きが変更される仕組みであり、下の組の複数の横フラップは第２電動モータによって上下方向に向きが変更される仕組みであり、前記空気調和機に対応するリモートコントローラには、前記第１電動モータと前記第２電動モータをそれぞれ単独制御状態と連動制御状態に制御するスイッチ手段を設けたものであり、以下に本発明の実施形態を記載する。
【実施例１】
【００１７】
次に、本発明の第１の実施形態について説明する。図１は本発明に係る床置き式空気調和機と室外機の関係を示す斜視図、図２は本発明に係る床置き式空気調和機の下部前面パネルを開いた状態の前面斜視図、図３は図１のＣ−Ｃ箇所の縦断面拡大側面図、図４は本発明に係る床置き式空気調和機の送風装置と前面パネルの関係を示す背面斜視図、図５は本発明に係る床置き式空気調和機の上部前面パネルの空気吹き出し口のフラップ構成を説明する背面斜視図、図６は図１のＤ−Ｄ箇所の断面拡大図、図７は本発明に係る床置き式空気調和機のドレンパン部分を説明する縦断側面図、図８は本発明に係る床置き式空気調和機のリモートコントローラの操作部の説明図、図９は本発明に係る床置き式空気調和機の空気吹き出し口のフラップ構成を示す背面上方斜視図、図１０は本発明に係る床置き式空気調和機の空気吹き出し口のフラップ構成を示す背面下方斜視図、図１１は本発明に係る床置き式空気調和機の空気吹き出し口のフラップ構成の分解斜視図である。
【００１８】
図において、本発明に係る床置き式空気調和機１は、室内の床に設置されるタイプであり、冷媒の圧縮機と凝縮器とこれらの熱交換用送風機５１等を収納した室外機５０とで一組の分離型空気調和装置を構成するものであり、空気調和機１と室外機５０とは、空気調和機本体２の側面の一方の孔１Ａを通って、電気配線５３と断熱材で覆われた冷媒配管５２とで連結された状態である。孔１Ａは空気調和機本体２の左右側面に形成されており、いずれかを選択できるようになっている。空気調和機１は、空気吸い込み口３から吸い込んだ空気が空気吹き出し口４Ａへ流れる空気通路に、空気流入面が下側となるように下部に対して上部が後方へ傾くように傾斜設置した熱交換器５と、空気吸い込み口３から吸い込んだ空気を熱交換器５の空気流入面へ送出する送風装置６が配置され、送風装置６は空気吸い込み口３から吸い込んだ空気の入口７と熱交換器５へ空気を送出する出口８を備えたファンケーシング９内にファン１０が収納された形態である。
【００１９】
以下に、空気調和機１を具体的に説明する。空気調和機１は、前面開口２Ａの空気調和機本体２と、空気調和機本体２に取り付けた前面パネル１１によって空気調和機本体２の前面開口２Ａを覆った、縦長形状をなしている。前面パネル１１に空気吸い込み口３と空気吹き出し口４Ａが形成されているが、前面パネル１１は、空気吸い込み口３が斜め前方に向いた左右側壁に縦長に形成された下部前面パネル１１Ａと、空気吹き出し口４Ａが前壁１１Ｂの正面に形成された上部前面パネル１１Ｂで構成されている。下部前面パネル１１Ａは、前壁１１Ａ１と、その左右端部に後方へ向けて延びた斜め前方に向いた左右側壁１１Ａ２を一体成形した合成樹脂の成形体である。また、上部前面パネル１１Ｂは、上壁と、前壁１１Ｂ１と、その左右端部に後方へ向けて延びた斜め前方に向いた左右側壁１１Ｂ２を一体成形した合成樹脂の成形体である。
【００２０】
空気吸い込み口３から空気吹き出し口４へ連通するように、空気調和機本体２内に形成した空気通路には、下部前面パネル１１Ａの後方に送風装置６が配置され、上部前面パネル１１Ｂの後方には熱交換器５が配置される。送風装置６は、空気の入口７を前面に備え空気の出口８を上面に備えたファンケーシング９内に、電動モータ１２で駆動されるシロッコファン１０が収納された形態である。シロッコファン１０は、仕切り坂１０Ａの周縁部に多数の羽根１０Ｂが等間隔で円形状に配置された周知の形態であり、回転によって前面開口から空気を吸い込み、多数の羽根１０Ｂの間隔から周辺へ吐出する。電動モータ１２はシロッコファン１０内に入り込むように、仕切り板１０Ａの中央部が前方へ窪んでおり、この窪みに位置する状態で、仕切り板１０Ａの中心に電動モータ１２の回転軸に結合された形態である。
【００２１】
ファンケーシング９は、空気の入口７を形成した前壁とその左右から延びた左右側壁を備えて背面が開口した形態である。電動モータ１２は、取り付けネジ１４によって空気調和機本体２の背壁２Ｂの所定位置へ取り付けられ、この状態で、ファンケーシング９を、その背面開口を塞ぐように空気調和機本体２の背壁２Ｂの所定位置に、断熱材５６を介して取り付けネジ１３によって取り付ける。この取り付けによって、シロッコファン１０の前面開口が空気の入口７に対向する。シロッコファン１０は、回転によって、その前面開口が空気の入口７から空気を吸い込み、多数の羽根１０Ｂの間隔から周辺へ空気を吐出し、この吐出された空気は、ファンケーシング９の形状に沿って上方の空気の出口８から上方へ送出される。なお、空気調和機本体２の背壁２Ｂの内面と左右側壁の内面の略全体に亘って断熱材５６、５７が貼着されている。
【００２２】
図６、図７に示すように、熱交換器５は、略等間隔に並列の縦長のアルミニウム製の板状フィン５Ａを冷媒パイプ５Ｂが貫通する形態であり、熱交換器５は、空気流入面がファンケーシング９の空気の出口８の上方で出口８に斜めに相対面するように、下部に対して上部が後方へ傾く傾斜設置であり、上部が空気調和機本体２の背壁２Ｂに近接または当接し、下部が空気調和機本体２の前面開口２Ａに近接するように傾斜設置である。そして、熱交換器５は、空気調和機本体２内に横幅広く配置されるように、熱交換器５の左右幅が空気調和機本体２の左右側壁近傍まで達する大きさであり、正面投影状態では、上部前面パネル１１Ｂの略全域に亘る大きさである。この構成は、熱交換面積を広く得るためである。空気調和機本体２には、熱交換器５の下端部がドレンパン２５の上面開口に臨むように、熱交換器５の下端部の真下にドレンパン２５が配置され、熱交換器５から流下する露をドレンパン２５で受ける。
【００２３】
送風装置６の空気の出口８から上方へ送出される空気が、熱交換器５の空気流入面に広く供給されるようにするために、ファンケーシング９の空気の出口８の左右幅は、略熱交換器５の左右幅に近い寸法を形成している。
【００２４】
ファンケーシング９の前方において、空気調和機本体２の前面開口２Ａの左右部に渡る取り付け板２９に電装ボックス３０が取り付けられている。電装ボックス３０内には、空気調和機１の電源部やプリント基板等の電気部品を含む制御部３０Ａが収納されている。このため、図２等に示すように、電装ボックス３０は、空気調和機本体２から前方へ突出状態に設けられている。
【００２５】
上部前面パネル１１Ｂの前壁１１Ｂ１の前面には、空気調和機１の運転状態等をＬＥＤで表示する表示部や、リモートコントローラ６０からの赤外線信号の受信部等を備えた制御パネル部２８が設けられている。制御パネル部２８に対応して上部前面パネル１１Ｂの前壁１１Ｂ１の裏面下部には、ケースに収納されて制御部３０Ａに電気接続された制御部２７が取り付けられている。なお、リモートコントローラ６０に替わって、またはリモートコントローラ６０と併用にて、制御部３０Ａの動作を操作する操作部を制御パネル部２８に併設してもよい。電装ボックス３０内の制御部３０Ａの動作は、前記リモートコントローラ６０またはリモートコントローラ６０に替わる前記操作部の操作に基づき行われ、制御部３０Ａによって空気調和機１の運転制御を行う。
【００２６】
下部前面パネル１１Ａは、送風装置６や電装ボックス３０の点検、修理、配線等を行ない易くするため、及び空気吸い込み口３の裏側に取り付けたフィルタの清掃や交換を行ない易くするために、空気調和機本体２に容易に取り外し可能な取り付け、または空気調和機本体２に開閉可能に支持されている。図示の形態では、下部前面パネル１１Ａは、図３及び図４に示すように、下端部の支点機能の突起３３Ａが、空気調和機本体２のべース部に形成した孔に挿入支持されて、上部が前後方向に回動可能に支持しており、図２に示すように開いた状態で持ち上げることによって、上方へ取り外せる構成である。また、下部前面パネル１１Ａは閉じた状態で、上部左右に設けた係止突起が空気調和機本体２のキャッチャ部３３Ｂに保持される構成である。なお、空気調和機本体２内の底部に換気ユニットを設置した場合には、下部前面パネル１１Ａを開いた状態で、この換気ユニットの点検や組み込まれたフィルタの交換や清掃を行なうことができる。
【００２７】
一方、上部前面パネル１１Ｂは、熱交換器５を通過した空気が衝突した後、上方の空気吹き出し口４Ａから送出される空気流の空気通路の一部分を構成しているため、空気調和機本体２に所定の位置でネジでの固定、係止爪の係止等によって取り付けられており、頻繁に取り外しまたは開閉する構成ではないが、熱交換器５の点検等を行なう場合は、そのネジ等を外して空気調和機本体２から取り外し可能である。図示のものは、上部前面パネル１１Ｂの左右側壁１１Ｂ２から後方へ延びた複数の係止爪１１Ｂ３が、空気調和機本体２の前面開口の左右フランジに形成した係止孔２Ａ１に挿入されてその下端に係止することによって、上部前面パネル１１Ｂが空気調和機本体２の前面開口の所定位置に取り付けられる構成である。係止孔２Ａ１から係止爪１１Ｂ３が外れる高さまで上部前面パネル１１Ｂを持ち上げることによって、上部前面パネル１１Ｂを取り外すことできる。
【００２８】
熱交換器５を通過した空気は、上部前面パネル１１Ｂの前壁１１Ｂ１の空気吹き出し口４Ａから前方へ送出される空気流と、前壁１１Ｂ１の裏面に衝突した後、上方の空気吹き出し口４Ａから送出される空気流がある。空気調和機１が冷房運転される場合は、後者の空気流によって上部前面パネル１１Ｂが冷却され、その前壁１１Ｂ１及び左右側壁１１Ｂ２の前面や裏面に結露が生じる虞がある。これを防止するために上部前面パネル１１Ｂの裏面に発泡スチロール等の軽量の断熱材２６を貼着している。この断熱材２６は、空気吹き出し口４Ａの周囲の断熱材２６Ｂと、空気吹き出し口４Ａの下方の断熱材２６Ａとに分割された構成である。断熱材２６Ａの左右幅は、上部前面パネル１１Ｂの左右側壁１１Ｂ２に亘る長さを有しており、下端部には結露水をドレンパン２５へ落下させる庇部３１をドレンパン２５の上方へ臨ませて形成している。
【００２９】
上部前面パネル１１Ｂの前壁１１Ｂ１の上部には、空気吹き出し口４Ａが略矩形状に形成されている。この空気吹き出し口４Ａは、上部前面パネル１１Ｂの前壁１１Ｂ１に形成した略矩形状の孔に嵌合状態に取り付けた、フラップ用支持枠４５によって確定される略矩形状に形成される。空気吹き出し口４Ａには、後部に空気吹き出し口４Ａの略縦方向長さの複数枚の合成樹脂製の縦フラップ３５が横方向に略等間隔を存して並列配置され、その前部に空気吹き出し口４Ａの略横方向長さの複数枚の合成樹脂製の横フラップ３６が、縦方向に略等間隔を存して並列配置されている。
【００３０】
縦フラップ３５は、空気吹き出し口４Ａから吹き出す空気の向きを、左右方向に変える作用をするものであり、上下端部の縦方向軸３７が支持枠４５の上下辺に回動可能に支持されていて、第３電動モータ４０の駆動に伴って、リンク機構４１を介して、左右方向に向きが変更できる作動構成である。
【００３１】
横フラップ３６は、空気吹き出し口４Ａから吹き出す空気の向きを、上下方向に変える作用をするものであり、それぞれ左右端部から中心軸線上を横へ延びる横方向軸４４が、支持枠４５の左右辺に回動可能に支持されていて、空気吹き出し口４Ａを上下に略２等分するように、分割された２組構成である。
【００３２】
上の組の複数（図では３枚）の横フラップ３６Ａは、支持枠４５に取り付けた第１電動モータ３８の駆動に伴って、リンク機構４２を介して、上下方向に向きが変更できる作動構成である。この構成の実施例として図示した構成は、一つの横フラップ３６Ａの横方向軸４４（図示のものは上から２番目の横フラップ３６Ａの横方向軸４４）が、第１電動モータ３８によって回動されるとき、他の全ての横フラップ３６Ａが同様に回動するようにするために、各横フラップ３６Ａは、第１電動モータ３８の反対側の横方向軸４４に、水平方向に突出する突起部４２Ａ１を備えた作動腕４２Ａが略直角に取り付けられ、この各突起部４２Ａ１が回動可能に嵌合する嵌合部（孔または軸受け部）４２Ｂ１を形成した作動板４２Ｂによって、各横フラップ３６Ａが連結された構成である。
【００３３】
これによって、第１電動モータ３８が正回転と逆回転を行うことによって、一つの横フラップ３６Ａが上下に回動し、この回動に伴ってリンク機構４２を介して、他の全ての横フラップ３６Ａも同様に上下に回動する。
【００３４】
また、下の組も上の組と同様の構成であり、下の組の複数（図では３枚）の横フラップ３６Ｂは、支持枠４５に取り付けた第２電動モータ３９の駆動に伴って、リンク機構４３を介して、上下方向に向きが変更できる作動構成である。この構成の実施例として図示した構成は、一つの横フラップ３６Ｂの横方向軸４４（図示のものは下から２番目の横フラップ３６Ｂの横方向軸４４）が、第２電動モータ３９によって回動されるとき、他の全ての横フラップ３６Ｂが同様に回動するようにするために、各横フラップ３６Ｂは、第２電動モータ３９の反対側の横方向軸４４に、水平方向に突出する突起部４３Ａ１を備えた作動腕４３Ａが略直角に取り付けられ、この各突起部４３Ａ１が回動可能に嵌合する嵌合部（孔または軸受け部）４３Ｂ１を形成した作動板４３Ｂによって、各横フラップ３６Ｂが連結された構成である。
【００３５】
これによって、第２電動モータ３９が正回転と逆回転を行うことによって、一つの横フラップ３６Ｂが上下に回動し、この回動に伴ってリンク機構４３を介して、他の全ての横フラップ３６Ｂも同様に上下に回動する。
【００３６】
なお、各横フラップ３６Ａ、３６Ｂが、比較的薄い合成樹脂製の板状の場合には、中間部が下方へ弛むことがある。これの防止のための工夫として、支持枠４５の上下辺の中間部に、上下方向に取り付けた中間支持部材４６を設け、この中間支持部材４６に中間支持部を設けている。実施例では、この中間支持部の構成として、中間支持部材４６は、横方向軸４４と同軸線上に設けられた軸受け部４７を備え、各横フラップ３６Ａ、３６Ｂの中間部に設けた中間軸４８が、この軸受け部４７によって回動可能に支持される構成である。このように、各横フラップ３６Ａ、３６Ｂは、左右両端部と中間部が、同軸線上に設けられた軸受け部４４と４７によって支持されるため、上下方向の回動が支障なく行なえると共に、中間部が垂れ下がることも防止できる構成となる。
【００３７】
各横フラップ３６（３６Ａ、３６Ｂ）は、閉じた状態では、空気吹き出し口４Ａを塞ぐように構成されている。空気調和機１には電源が供給状態であるが、まだ運転・停止スイッチＡが操作されず、空気調和機１の運転が開始していない状態では、空気吹き出し口４Ａの横フラップ３６は、空気吹き出し口４Ａを閉じた状態に設定されている。このため、運転状態にあった空気調和機１が運転を停止したときは、横フラップ３６が閉じるため、空気調和機１を使用しないときは、空気吹き出し口４Ａから塵埃やその他のものの侵入を防止できると共に、前壁１１Ｂ１と略同一面を形成することにより、外観デザインも向上したものとなる。
【００３８】
空気調和機１の電源が供給状態（入った状態）において、前記リモートコントローラ６０等の操作部に設けられた空気調和機１の運転・停止スイッチＡのＯＮ操作に基づき、制御部３０Ａによって、電動モータ１２、室外機５０の圧縮機と熱交換用送風機５１等が始動し、空気調和機１が運転を開始する。空気調和機１は、前記リモートコントローラ６０等の操作部に設けられた運転モードの切り替えスイッチＢによって、冷房運転と暖房運転に切り替えできる。このため、冷房運転の場合は、熱交換器５が所定の温度に冷却された状態で電動モータ１２が始動するようにし、また、冷房運転の場合は、熱交換器５が所定の温度に上昇した状態で電動モータ１２が始動するようにすれば好ましい。
【００３９】
上記のように、横フラップ３６は上下に２分割された２組構成であり、上の組の複数の横フラップ３６Ａは第１電動モータ３８によって上下方向に向きが変更される仕組みであり、下の組の複数の横フラップ３６Ｂは第２電動モータ３９によって上下方向に向きが変更される仕組みである。
【００４０】
電動モータ３８と電動モータ３９はステッピング式モータ方式であり、前記リモートコントローラ６０に設けた風向スイッチの操作に基づき、制御部３０Ａによって、所定数の駆動パルスが電動モータ３８と電動モータ３９へ供給されて、所定角度回転する仕組みである。
【００４１】
まず、空気吹き出し口４Ａの横フラップ３６の動作について説明する。上記の構成によって、電動モータ３８が逆回転することによって、作動板４２Ｂが下方向に移動し、上の組の横フラップ３６Ａが横方向軸部４４を中心として下方へ回動して空気吹き出し口４Ａを閉じる。そして、この状態から電動モータ３８が正回転して、作動板４２Ｂが上方向に移動し、上の組の横フラップ３６Ａは、横方向軸部４４を中心として上方へ回動して空気吹き出し口４Ａを開く動作をする。
【００４２】
また、下の組の横フラップ３６Ｂも同様であり、電動モータ３９が逆回転することによって、作動板４３Ｂが下方向に移動し、下の組の横フラップ３６Ｂが横方向軸部４４を中心として下方へ回動して空気吹き出し口４Ａを閉じる。そして、この状態から電動モータ３９が正回転して、作動板４３Ｂが上方向に移動し、下の組の横フラップ３６Ｂは、横方向軸部４４を中心として上方へ回動して空気吹き出し口４Ａを開く動作をする。
【００４３】
空気調和機１の電源が入った状態において、前記リモートコントローラ６０等の操作部に設けられた空気調和機１の運転・停止スイッチＡがＯＮ操作されると、制御部３０Ａによって、前述のように、室外機５０の圧縮機と熱交換用送風機５１等が始動し、空気調和機１が運転を開始する。空気調和機１の運転が停止状態では、横フラップ３６が空気吹き出し口４Ａを閉じるように設定されているため、空気調和機１が運転を開始すると、空気吹き出し口４Ａを所定の設定状態に開く必要がある。このため、制御部３０Ａによって、各フラップ３６Ａ、３６Ｂは所定の設定状態に開くように制御される。実施例では、制御部３０Ａによって、斜め下方に開く状態にセットされているが、水平状態に開く状態に開くように設定することもできる。
【００４４】
空気調和機１に対応するリモートコントローラ６０には、第１電動モータ３８と第２電動モータ３９をそれぞれ単独制御するスイッチを設けている。この単独制御スイッチの操作に基づき、制御部３０Ａによって、第１電動モータ３８が上の組の複数の横フラップ３６Ａを、上向き状態、水平状態、下向き状態のいずれかの状態となるように、ステップ動作によって往復可動するステップ制御手段（閉じた状態を加えたものとすることもできる）と、第２電動モータ３９が下の組の複数の横フラップ３６Ｂを、上向き状態、水平状態、下向き状態のいずれかの状態となるように、ステップ動作によって往復可動するステップ制御手段（閉じた状態を加えたものとすることもできる）を備えている。以下、これに関する一つの実施形態について説明する。
【００４５】
これは、次のような動作によって達成される。ここで、前記単独制御スイッチは、リモートコントローラ６０に設けた上下風向スイッチのうちの上の組風向スイッチＣと下の組風向スイッチＤである。これらのスイッチの名称は、これに限定されない。
【００４６】
上記のように、空気調和機１が運転を開始すると、制御部３０Ａによって、各フラップ３６Ａ、３６Ｂは、共に下向き開状態（斜め下向き開状態）に開く。この状態で、上の組の横フラップ３６Ａは、上の組風向スイッチＣを１回ＯＮ操作すると、電動モータ３８が所定回転して、各フラップ３６Ａが上方へ１ステップ動作して、空気の吹き出し方向を水平状態とする。次に上の組風向スイッチＣを１回ＯＮ操作すると、電動モータ３８が所定回転して、各フラップ３６Ａが上方へ１ステップ動作し、空気の吹き出し方向を上向き開状態（斜め上向き開状態）にする。次に上の組風向スイッチＣを１回ＯＮ操作すると、上の組の電動モータ３８が所定回転して、各フラップ３６Ａが下方へ１ステップ動作（回動）して、空気の吹き出し方向を水平状態にする。
【００４７】
更に、上の組風向スイッチＣを１回ＯＮ操作すると、電動モータ３８が所定回転して、各フラップ３６Ａが下方へ１ステップ動作して、空気の吹き出し方向を下向き開状態にする。更に上の組風向スイッチＣを１回ＯＮ操作すると、電動モータ３８が所定回転して、各フラップ３６Ａが上方へ１ステップ動作して、空気の吹き出し方向を水平状態とする。更にまた、上の組風向スイッチＣを１回ＯＮ操作すると、上の組の電動モータ３８が所定回転して各フラップ３６Ａが上方へ１ステップ動作し、空気吹き出し口４Ａを上向き開状態とする。
【００４８】
以後、上記同様に上の組風向スイッチＣのＯＮ操作ごとに、各フラップ３６Ａをステップ作動できる。このように上の組風向スイッチＣのＯＮ操作ごとに風向をステップ制御できる。この場合、下の組の横フラップ３６Ｂは下向き状態に開いたままである。
【００４９】
また、下の組の横フラップ３６Ｂにおいても、上の組の横フラップ３６Ａ同様であり、空気調和機１が運転を開始したときは、下向き開状態（斜め下向き状態）に開いた状態にある。この状態で、下の組の横フラップ３６Ｂは、リモートコントローラ６０に設けた上下風向スイッチのうちの下の組風向スイッチＤを１回ＯＮ操作すると、下の組の電動モータ３９が所定回転して、各フラップ３６Ｂが上方へ１ステップ動作して水平状態に開く。以後同様にして下の組風向スイッチＤのＯＮ操作によって、各フラップ３６Ｂが回動して空気の吹き出し方向を、上方、水平、下方、水平状態と順次変更できる。この場合、上の組の横フラップ３６Ａは下向き状態に開いたままである。
【００５０】
また、前記リモートコントローラ６０に設けた空気調和機１の運転・停止スイッチＡの再度のＯＮ操作によって、空気調和機１の運転が停止するが、上の組の横フラップ３６Ａも、下の組の横フラップ３６Ｂも、これと共に待機状態、即ち、閉じた状態にセットされるように、制御部３０Ａによって、電動モータ３８と電動モータ３９が制御される。
【００５１】
また、横フラップ３６Ａ、３６Ｂの開閉状態を、閉じた状態、略３０度下方に開いた状態、略６０度下方に開いた状態、水平状態、斜め上方に開いた状態のように、開く角度を更に細かく設定するようにしてもよい。この場合、上記のように空気調和機１が運転を開始すると、空気吹き出し口４Ａを閉じていた横フラップ３６Ａ、３６Ｂが、略３０度開いた状態、または略６０度開いた状態となるように、制御部３０Ａによって設定することもできる。
【００５２】
また、上の組風向スイッチＣによる各フラップ３６Ａの方向選択と、下の組風向スイッチＤによる各フラップ３６Ｂの方向選択とを組み合わせることによって、種々の風向を作り出すことができる。例えば、横フラップ３６Ａと横フラップ３６Ｂが共に水平状態の場合は、吹き出し空気が前方へ吹き出される標準モードである。また、横フラップ３６Ａと横フラップ３６Ｂが共に上方状態の場合は、吹き出し空気が斜め上前方へ吹き出される上方モードであり、室内の天井部分の空気の流動を促進して、室内全体の空気調和ができ、室内の座敷や床や椅子に座っている人に直接、冷房時の冷風や暖房時の温風が当たらない柔和な空気調和ができる。また、横フラップ３６Ａと横フラップ３６Ｂが共に下方状態の場合は、吹き出し空気が斜め下方へ吹き出される下方モードであり、湯上り時の体を心地よく冷やす場合や、室内の座敷や床や椅子に座っている人に集中して暖房の温風を当てるのに適する。
【００５３】
また、上の組の横フラップ３６Ａが水平状態であって、下の組の横フラップ３６Ｂが上向き状態の場合は、吹き出し空気が水平状態とその上方領域へ吹き出される広域上方モードとなり、また下の組の横フラップ３６Ｂが水平状態であって、上の組の横フラップ３６Ａが下向き状態の場合は、吹き出し空気が水平状態とその下方領域へ吹き出される広域下方モードとなる。このように、種々の吹き出し方向のモードを作ることもでき、室内に居る人の好みに応じた空気吹き出し方向を作り出すことができる空気調和を行うことができる。
【００５４】
また、上の組風向スイッチＣと下の組風向スイッチＤによって、横フラップ３６Ａと３６Ｂが閉じた状態となるモードが、制御部３０Ａによって設定されておれば、下の組の横フラップ３６Ｂは閉じたままで、上の組の横フラップ３６Ａによる風向変更状態や、または、上の組の横フラップ３６Ｂは閉じたままで、下の組の横フラップ３６Ａによる風向変更状態を作ることができる。このような場合は、横フラップ３６Ａと横フラップ３６Ｂの両方による風向変更の場合に比して、室内を循環する空気量が少ないモードでの空気調和ができ、室内に居る人の好みに応じた空気吹き出し方向を作り出すことができる空気調和を行うことができる。
【００５５】
また、空気調和機１に対応するリモートコントローラ６０には、第１電動モータ３８と第２電動モータ３９を連動制御する上下連動風向スイッチＥを設けることができる。このスイッチの名称は、これに限定されない。このスイッチＥを１回ＯＮ操作するごとに、電動モータ３８と３９が同時にステップ作動して、上の組の横フラップ３６Ａと下の組の横フラップ３６Ｂが同時に、同じ向きに開き、上記同様に、下向き状態、水平状態、上向き状態に、所定の順序によってステップ的に変化する作動を行なう。
【００５６】
なお、単独制御するスイッチＣ、Ｄは、一つの押しボタンをＯＮ操作するごとに、スイッチＣ、Ｄの動作が順次選択できるスイッチ手段の構成でも同じ機能であり、本発明の範囲である。また、単独制御するスイッチＣ、Ｄと連動制御するスイッチＥが、一つの押しボタンをＯＮ操作するごとに、スイッチＣ、Ｄ、Ｅの動作が順次選択できるスイッチ手段の構成でも同じ機能であり、本発明の範囲である。
【００５７】
また、空気調和機１に対応するリモートコントローラ６０には、第１電動モータ３８によって上の組の複数の横フラップ３６Ａが、下向き状態、水平状態、上向き状態の態様が所定の順序によって連続的に変化するように制御する上の組連続風向スイッチＦと、第２電動モータ３９によって下の組の複数の横フラップ３６Ｂが、下向き状態、水平状態、上向き状態の態様が所定の順序によって連続的に変化するように制御する下の組連続風向スイッチＧを設けることができる。これらのスイッチの名称は、これに限定されない。
【００５８】
上の組連続風向スイッチＦのＯＮ操作によって、制御部３０Ａによって、第１電動モータ３８が連続的に正回転と逆回転を繰り返して、上の組の複数の横フラップ３６Ａが、閉じた状態から、下向き状態、水平状態、上向き状態の態様が、所定の順序によって連続的に変化するように制御される。また、下の組連続風向スイッチＧのＯＮ操作によって、制御部３０Ａによって、第１電動モータ３８が連続的に正回転と逆回転を繰り返して、下の組の複数の横フラップ３６Ｂが、下向き状態、水平状態、上向き状態の態様が、所定の順序によって連続的に変化するように制御される。このため、
【００５９】
また、前記リモートコントローラ６０等の操作部に、全自動上下同時風向スイッチＨ（別の名称でもよい）と、全自動上下撹拌風向スイッチＩ（別の名称でもよい）を設けることができる。この全自動上下同時風向スイッチＨをＯＮすることによって、制御部３０Ａに設定したモードに従って、電動モータ３８と３９が同時に正方向回転と逆方向回転を繰り返し、各横フラップ３６Ａと３６Ｂが共に、上下方向に連続可動する同期運転モードとなる。
【００６０】
これらのスイッチＦ、Ｇ、Ｈは、一つの押しボタンをＯＮ操作するごとに、スイッチＦ、Ｇ、Ｈの動作が順次選択できるスイッチ手段の構成でも同じ機能であり、本発明の範囲である。
【００６１】
また、全自動上下撹拌風向スイッチＩをＯＮすることによって、制御部３０Ａに設定したモードによって、電動モータ３８と３９の一方が正方向回転するとき他方が逆方向回転し、一方が逆方向回転するとき他方が正方向回転する関係を繰り返すことによって、上の組の横フラップ３６Ａと下の組の横フラップ３６Ｂが、互いに逆方向に連続作動する、所謂、反同期運転モードを選択できる。これによって、上の組の横フラップ３６Ａが水平状態から上方へ（または水平状態から下方へ）移動し、下の組の横フラップ３６Ｂが水平状態から下方へ（または水平状態から上方へ）移動することによって、吹き出し空気の範囲が広がりを持つため、室内の空気循環をワイド状態とする。また、上の組の横フラップ３６Ａが水平状態から下方（または上方）へ移動し、下の組の横フラップ３６Ｂが水平状態から上方（または下方）へ移動するとき、吹き出し空気の乱流状態を形成するため、室内の空気を上下に攪拌して室内温度斑を少なくできる状態となる。
【００６２】
空気調和機１の運転が停止しているときの各縦フラップ３５の状態、即ち、各縦フラップ３５の待機状態が、正面に向いて空気吹き出し口４Ａを垂直に開いた全開状態であるか、または、各フラップ３５が閉じた状態であるかは、いずれでもよく、これは、制御部３０Ａによる制御によって設定できる。以下、前者の場合において説明する。
【００６３】
各縦フラップ３５は、上下端部から上下に延びる縦方向軸３７が、支持枠４５に回動可能に支持されていて、支持枠４５に取り付けた第３電動モータ４０によって、全ての縦フラップ３５が同時に同じ方向に回動するように、リンク機構４１を備えている。この構成の実施例として図示した構成は、一つの縦フラップ３５（図５、図１０では最右端の縦フラップ３５）の縦方向軸３７が第３電動モータ４０によって回動されるとき、他の全ての縦フラップ３５が同様に回動するために、全ての縦フラップ３５には、縦方向軸３７から所定の半径に突起部４１Ａが設けられ、これらの突起部４１Ａが回動可能に嵌合する嵌合部（孔または軸受け部）４１Ｂ１を形成した作動板４１Ｂによって、各縦フラップ３５が連結された構成である。
【００６４】
これによって、第３電動モータ４０が正回転と逆回転を行うことによって、一つの縦フラップ３５が左右に回動し、この回動に伴ってリンク機構４１を介して、他の全ての縦フラップ３５も同様に左右に回動する。
【００６５】
電動モータ４０はステッピング式モータ方式であり、前記リモートコントローラ６０に設けた風向スイッチの操作に基づき、制御部３０Ａによって、所定数の駆動パルスが電動モータ４０へ供給されて、所定角度回転する仕組みである。
【００６６】
実施例では、縦フラップ３５が第３電動モータ４０によって駆動される場合、空気調和機１の電源が入った状態において、空気調和機１の運転開始前は、各フラップ３５は垂直に開いた状態である。この状態で、前記リモートコントローラ６０等の操作部に設けられた空気調和機１の運転開始スイッチが操作されると、制御部３０Ａによって、前述のように、空気調和機１が運転を開始する。例えば、各フラップ３５は垂直に開いた状態からスタートするとすれば、前記リモートコントローラ６０等の操作部に設けられた縦フラップ３５の左右風向スイッチＪ（別の名称でもよい）を１回ＯＮ操作すると、第３電動モータ４０が所定回転して、各フラップ３５が１ステップ動作して左方向き（または右向き）状態となり、空気の吹き出し方向を正面左方状態（または右方状態）とする。次に左右風向スイッチＪを１回ＯＮ操作すると、第３電動モータ４０が所定回転して、各フラップ３５が１ステップ動作して垂直に開いた状態となり、空気の吹き出し方向を正面状態とする。更に、左右風向スイッチＪを１回ＯＮ操作すると、第３電動モータ４０が所定回転して、各フラップ３５が１ステップ動作して右方向き（または左向き）状態となり、空気の吹き出し方向を正面右方状態（または左方状態）とする。更にまた、左右風向スイッチＪを１回ＯＮ操作すると、第３電動モータ４０が所定回転して、各フラップ３５が１ステップ動作して垂直に開いた状態となり、空気の吹き出し方向を正面状態とする。このように、左右風向スイッチＪのＯＮ操作ごとに、空気の横方向（左右方向）の吹き出し方向をステップ的に変更できることとなる。
【００６７】
なお、前記リモートコントローラ６０等の操作部に、全自動左右風向スイッチＫ（別の名称でもよい）を設け、この全自動左右風向スイッチＫをＯＮすることによって、制御部３０Ａに設定したモードによって、第３電動モータ４０が正方向回転と逆方向回転を繰り返すことによって、各フラップ３５が垂直に開いた状態、左方向き状態、垂直に開いた状態、右方向き状態を所定の順次で繰り返して、連続的に空気の横方向（左右方向）の吹き出し方向を変更できることとなる。
【００６８】
また、縦フラップ３５も、リモートコントローラ６０に設けた空気調和機１の運転停止スイッチＡの停止操作（運転状態でのＯＮ操作）によって、待機状態、即ち、垂直に開いた状態にセットされるように、制御部３０Ａによって、電動モータ４０が制御される。
【００６９】
空気吹き出し口４Ａから吹き出す空気の向きを、電動式によって上下方向と左右方向のいずれにも変更できるようにするために、実施例では上記のように、リモートコントローラ６０等の操作部に、横フラップ３６を第１電動モータ３８と第２電動モータ３９によって作動するための上下方向の風向制御を行うための横フラップ用風向スイッチ手段と、縦フラップ３５を第３電動モータ４０によって作動するために、左右方向の風向制御を行うための縦フラップ用風向スイッチ手段とを設け、これらのスイッチ手段の操作によって、上下方向の風向制御と左右方向の風向制御を、単独で、または組み合わせ制御によって、種々の風向が形成できる構成としている。
【００７０】
なお、縦フラップ３５の待機状態が、閉じた状態である場合は、空気調和機１が運転を開始したとき、それに伴って縦フラップ３５は、空気吹き出し口４Ａを垂直に開いた状態となるように、制御部３０Ａによって制御するように設定することによって、空気吹き出し口４Ａからの空気の吹き出しが阻害されることはない。
【００７１】
上記のように、縦フラップ３５は、空気吹き出し口４Ａから吹き出す空気の向きを、左右方向に変える作用をするものであり、横フラップ３６は、空気吹き出し口４Ａから吹き出す空気の向きを、上下方向に変える作用をするものである。そして、横フラップ３６は上下に２分割された上の組の複数の横フラップ３６Ａと、下の組の複数の横フラップ３６Ｂで構成した２分割構成である。
【００７２】
横フラップ３６を３分割、４分割のように、より多くの分割構成とすることも考えられるが、そのように空気の吹き出し方向を細分化しても、構成の複雑さによるコストアップや、操作の面倒さ等を考慮すれば、２分割の場合に比して遥かに大きい効果が期待できないので、２分割構成で目的を達成できる。
【００７３】
リモートコントローラ６０は、図８に示すように、先端部に赤外線等による信号の授受を行なうセンサ部６１と、１時間切りタイマを設定するタイマスイッチ６２と、制御する室内温度を設定する温度設定スイッチ６３と、各スイッチによる設定状態や操作状態を表示する表示部６４や、空気調和機１のその他の機能を制御するスイッチを備えている。
【実施例２】
【００７４】
縦フラップ３５は、電動式としない場合は、各縦フラップ３５の向きが、手動によって変更できる構成とすることができる。この構成は、第３電動モータ４０の替わりに、リンク機構４１を手動によって作動させればよい。このため、縦フラップ３５の一つを手動によって左右に作動させることによって、各縦フラップ３５の向きが同時に変更できる。
【産業上の利用可能性】
【００７５】
本発明の空気調和機は、空気調和機１の形態等については、上記実施形態に限定されず、本発明の技術的範囲を逸脱しない限り、種々の空気調和機に適用できるものである。
【図面の簡単な説明】
【００７６】
【図１】本発明に係る床置き式空気調和機と室外機の関係を示す斜視図である。（実施例１）
【図２】本発明に係る床置き式空気調和機の下部前面パネルを開いた状態の前面斜視図である。（実施例１）
【図３】図１のＣ−Ｃ箇所の縦断面拡大側面図である。（実施例１）
【図４】本発明に係る床置き式空気調和機の送風装置と前面パネルの関係を示す背面斜視図である。（実施例１）
【図５】本発明に係る床置き式空気調和機の上部前面パネルの空気吹き出し口のフラップ構成を説明する背面斜視図である。（実施例１）
【図６】図１のＤ−Ｄ箇所の断面拡大図である。（実施例１）
【図７】本発明に係る床置き式空気調和機のドレンパン部分を説明する縦断側面図である。（実施例１）
【図８】本発明に係る床置き式空気調和機のリモートコントローラの操作部の説明図である。（実施例１）
【図９】本発明に係る床置き式空気調和機の空気吹き出し口のフラップ構成を示す背面上方斜視図である。（実施例１）
【図１０】本発明に係る床置き式空気調和機の空気吹き出し口のフラップ構成を示す背面下方斜視図である。（実施例１）
【図１１】本発明に係る床置き式空気調和機の空気吹き出し口のフラップ構成の分解斜視図である。（実施例１）
【符号の説明】
【００７７】
１・・・・・床置き式空気調和機
２・・・・・空気調和機本体
２Ａ・・・・前面開口
３・・・・・空気吸い込み口
４Ａ・・・・空気吹き出し口
５・・・・・熱交換器
５Ａ・・・・板状フィン
５Ｂ・・・・冷媒パイプ
６・・・・・送風装置
７・・・・・空気入口
８・・・・・空気出口
９・・・・・ファンケーシング
１０・・・・シロッコファン
１１・・・・前面パネル
１１Ａ・・・下部前面パネル
１１Ｂ・・・上部前面パネル
１２・・・・電動モータ
２５・・・・ドレンパン
２６・・・・断熱材
２６Ａ・・・下方の断熱材
２６Ｂ・・・上方の断熱材
２７・・・・制御部
２８・・・・制御パネル部
３０・・・・電装ボックス
３１・・・・庇部
３５・・・・縦フラップ
３６・・・・横フラップ
３６Ａ・・・上の組の横フラップ
３６Ｂ・・・下の組の横フラップ
３８・・・・第１電動モータ
３９・・・・第２電動モータ
４０・・・・第３電動モータ
４１・・・・リンク機構
４２・・・・リンク機構
４３・・・・リンク機構
５０・・・・室外機
６０・・・・リモートコントローラ
Ａ・・・・・運転・停止スイッチ
Ｂ・・・・・運転モードの切り替えスイッチ
Ｃ・・・・・上の組風向スイッチ
Ｄ・・・・・下の組風向スイッチ
Ｅ・・・・・上下連動風向スイッチ
Ｆ・・・・・上の組連続風向スイッチ
Ｇ・・・・・下の組連続風向スイッチ
Ｈ・・・・・全自動上下同時風向スイッチ
Ｉ・・・・・全自動上下撹拌風向スイッチ
【図１】
2008175458.tif 000003
【図２】
2008175458.tif 000004
【図３】
2008175458.tif 000005
【図４】
2008175458.tif 000006
【図５】
2008175458.tif 000007
【図６】
2008175458.tif 000008
【図７】
2008175458.tif 000009
【図８】
2008175458.tif 000010
【図９】
2008175458.tif 000011
【図１０】
2008175458.tif 000012
【図１１】
2008175458.tif 000013